【手続補正書】
【提出日】平成25年1月16日(2013.1.16)
【手続補正１】
【補正対象書類名】特許請求の範囲
【補正対象項目名】全文
【補正方法】変更
【補正の内容】
【特許請求の範囲】
【請求項１】
画像を表示可能な表示パネルと、
前記表示パネルを制御する制御部と、
前記表示パネルを駆動するために配置された複数のドライバであって、前記制御部からのデータ信号が供給される前段ドライバと、前記前段ドライバからデータ信号が供給される少なくとも１つの後段ドライバとを備えた複数のドライバと、
前記制御部からの代替制御信号に基づき前記後段ドライバに供給されるデータ信号を代替する代替データ信号を供給する代替制御部と、を備え、
前記制御部は、前記後段ドライバにデータ信号が正常に供給されていないと判断した場合、前記代替制御部に代替制御信号を供給することを特徴とする表示装置。
【請求項２】
前記制御部は、前記ドライバの故障を検知するモニタ信号によって表示可能な領域を判定し、該領域に合わせて異常時表示画像を作成して表示することを特徴とする請求項１に記載の表示装置。
【請求項３】
前記制御部は、故障を検知した前記ドライバに出力停止信号又は黒画像信号を出力することを特徴とする請求項２に記載の表示装置。
【請求項４】
後段ドライバの前段に配置されるタイミング制御部を有し、
前記タイミング制御部は、前記前段のドライバからのデータ信号と代替データ信号とを切り替えて前記後段ドライバに出力するセレクタで構成されることを特徴とする請求項１に記載の表示装置。
【請求項５】
画像を表示可能な表示パネルと、
前記表示パネルを制御する制御部と、
前記表示パネルを駆動するために配置された複数のドライバであって、前記制御部からのデータ信号に基づきデータ信号を後段のドライバに供給する最前段ドライバと、前段のドライバからのデータ信号に基づき動作する後段ドライバとを備えた複数のドライバと、を有する表示装置において、
前記後段ドライバにデータ信号が正常に供給されているか否かを示すモニタ信号を前記制御部に供給する検知部と、
前記制御部からの代替制御信号に基づき前記後段ドライバに供給されるデータ信号を代替する代替データ信号を供給する代替制御部と、を備え、
前記制御部は、前記モニタ信号によって前記後段ドライバにデータ信号が正常に供給されていないと判断した場合、前記代替制御部に代替データ信号を供給させる代替制御信号を供給することを特徴とする表示装置。
【請求項６】
互いに交差するゲート線群とソース線群とを有し、各ゲート線と各ソース線間に設けられた画像素子をゲート信号に基づくタイミングでソース信号に応じて駆動することにより表示する表示装置において、
前記ソース線群を駆動するために配置された複数のソースドライバであって、制御部からのソース信号を後段のソースドライバに供給する最前段ソースドライバと、前段のソースドライバからのソース信号を後段のソースドライバに供給する少なくとも１つの後段ソースドライバとを備える複数のソースドライバと、
前記ソース信号が正常に供給されているか否かを示すソースモニタ信号を前記制御部に供給するソース信号異常検出部と、
前記制御部からの代替制御信号に基づき前記後段ドライバに供給されるソース信号を代替する代替ソース信号を供給する代替ソース制御部と、を備え、
前記制御部は、前記ソースモニタ信号によって前記後段ドライバにソース信号が正常に供給されていないと判断した場合、前記代替ソース制御部に代替ソース信号を供給させる代替制御信号を供給することを特徴とする表示装置。
【請求項７】
前記制御部は、前記ソースモニタ信号によって前記ソースドライバの故障を検知して表示可能な領域を判定し、該領域に合わせて異常時表示画像を作成して表示することを特徴とする請求項６に記載の表示装置。
【請求項８】
互いに交差するゲート線群とソース線群とを有し、各ゲート線と各ソース線間に設けられた画像素子をゲート信号に基づくタイミングでソース信号に応じて駆動することにより表示する表示装置において、
前記ソース線群を駆動するために配置された複数のソースドライバであって、制御部からのソース信号を後段のソースドライバに供給する最前段ソースドライバと、前段のソースドライバからのソース信号に基づき動作する後段ソースドライバとを備える複数のソースドライバと、
前記ソース信号が正常に供給されているか否かを示すソースモニタ信号を前記制御部に供給するソース信号異常検出部と、
前記制御部からの代替制御信号に基づき前記後段ドライバに供給されるソース信号を代替する代替ソース信号を供給する代替ソース制御部と、を備え、
前記制御部は、前記ソースモニタ信号によって前記後段ドライバにソース信号が正常に供給されていないと判断した場合、前記代替ソース制御部に代替ソース信号を供給させる代替制御信号を供給することを特徴とする表示装置。
【請求項９】
互いに交差するゲート線群とソース線群とを有し、各ゲート線と各ソース線間に設けられた画像素子をゲート信号に基づくタイミングでソース信号に応じて駆動することにより表示する表示装置において、
前記ゲート線群を駆動するために配置された複数のゲートドライバであって、制御部からのゲート信号を制御するスタート信号を後段のゲートドライバに供給する最前段ゲートドライバと、前段のゲートドライバからのスタート信号を後段のゲートドライバに供給する少なくとも１つの後段ゲートドライバとを備える複数のゲートドライバと、
前記スタート信号が正常に供給されているか否かを示すスタートモニタ信号を前記制御部に供給するスタート信号異常検出部と、
前記制御部からの代替スタート制御信号に基づき前記後段ドライバに供給されるスタート信号を代替する代替スタート信号を供給する代替スタート制御部と、を備え、
前記制御部は、前記スタートモニタ信号によって前記後段ドライバにスタート信号が正常に供給されていないと判断した場合、前記代替スタート制御部に代替スタート信号を供給させる代替制御信号を供給することを特徴とする表示装置。
【請求項１０】
前記スタートモニタ信号を前記制御部に供給する線と前記代替スタート制御部に前記代替制御信号を供給する線は、双方向信号線を用いて共有されることを特徴とする請求項９に記載の表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００７
【補正方法】変更
【補正の内容】
【０００７】
本発明は、かかる点に鑑みてなされたものであり、故障が生じた場合であっても表示機能を維持できる表示装置を提供することを目的とする。
【手続補正４】
【補正対象書類名】明細書
【補正対象項目名】０００８
【補正方法】変更
【補正の内容】
【０００８】
上記目的は、画像を表示可能な表示パネルと、前記表示パネルを制御する制御部と、前記表示パネルを駆動するために配置された複数のドライバであって、前記制御部からのデータ信号が供給される前段ドライバと、前記前段ドライバからデータ信号が供給される少なくとも１つの後段ドライバとを備えた複数のドライバと、前記制御部からの代替制御信号に基づき前記後段ドライバに供給されるデータ信号を代替する代替データ信号を供給する代替制御部と、を備え、前記制御部は、前記後段ドライバにデータ信号が正常に供給されていないと判断した場合、前記代替制御部に代替制御信号を供給することを特徴とする表示装置によって実現できる。
従って、一部の部品が故障した場合であっても、表示機能が完全に失われるのを防止でき、表示機能を維持できる。
【手続補正５】
【補正対象書類名】明細書
【補正対象項目名】０００９
【補正方法】変更
【補正の内容】
【０００９】
上記表示装置において、前記制御部は、前記ドライバの故障を検知するモニタ信号によって表示可能な領域を判定し、該領域に合わせて異常時表示画像を作成して表示することを特徴とする。
【手続補正６】
【補正対象書類名】明細書
【補正対象項目名】００１０
【補正方法】変更
【補正の内容】
【００１０】
上記表示装置において、前記制御部は、故障を検知した前記ドライバに出力停止信号又は黒画像信号を出力することを特徴とする。
【手続補正７】
【補正対象書類名】明細書
【補正対象項目名】００１１
【補正方法】変更
【補正の内容】
【００１１】
上記表示装置において、後段ドライバの前段に配置されるタイミング制御部を有し、前記タイミング制御部は、前記前段のドライバからのデータ信号と代替データ信号とを切り替えて前記後段ドライバに出力するセレクタで構成されることを特徴とする。
【手続補正８】
【補正対象書類名】明細書
【補正対象項目名】００１２
【補正方法】変更
【補正の内容】
【００１２】
上記目的は、画像を表示可能な表示パネルと、前記表示パネルを制御する制御部と、前記表示パネルを駆動するために配置された複数のドライバであって、前記制御部からのデータ信号に基づきデータ信号を後段のドライバに供給する最前段ドライバと、前段のドライバからのデータ信号に基づき動作する後段ドライバとを備えた複数のドライバと、を有する表示装置において、前記後段ドライバにデータ信号が正常に供給されているか否かを示すモニタ信号を前記制御部に供給する検知部と、前記制御部からの代替制御信号に基づき前記後段ドライバに供給されるデータ信号を代替する代替データ信号を供給する代替制御部と、を備え、前記制御部は、前記モニタ信号によって前記後段ドライバにデータ信号が正常に供給されていないと判断した場合、前記代替制御部に代替データ信号を供給させる代替制御信号を供給することを特徴とする表示装置によって実現できる。
従って、一部の部品が故障した場合であっても、表示機能が完全に失われるのを防止でき、表示機能を維持できる。
【手続補正９】
【補正対象書類名】明細書
【補正対象項目名】００１３
【補正方法】変更
【補正の内容】
【００１３】
上記目的は、互いに交差するゲート線群とソース線群とを有し、各ゲート線と各ソース線間に設けられた画像素子をゲート信号に基づくタイミングでソース信号に応じて駆動することにより表示する表示装置において、前記ソース線群を駆動するために配置された複数のソースドライバであって、制御部からのソース信号を後段のソースドライバに供給する最前段ソースドライバと、前段のソースドライバからのソース信号を後段のソースドライバに供給する少なくとも１つの後段ソースドライバとを備える複数のソースドライバと、前記ソース信号が正常に供給されているか否かを示すソースモニタ信号を前記制御部に供給するソース信号異常検出部と、前記制御部からの代替制御信号に基づき前記後段ドライバに供給されるソース信号を代替する代替ソース信号を供給する代替ソース制御部と、を備え、前記制御部は、前記ソースモニタ信号によって前記後段ドライバにソース信号が正常に供給されていないと判断した場合、前記代替ソース制御部に代替ソース信号を供給させる代替制御信号を供給することを特徴とする表示装置によって実現できる。
従って、一部の部品が故障した場合であっても、表示機能が完全に失われるのを防止でき、表示機能を維持できる。
【手続補正１０】
【補正対象書類名】明細書
【補正対象項目名】００１４
【補正方法】変更
【補正の内容】
【００１４】
上記表示装置において、前記制御部は、前記ソースモニタ信号によって前記ソースドライバの故障を検知して表示可能な領域を判定し、該領域に合わせて異常時表示画像を作成して表示することを特徴とする。
【手続補正１１】
【補正対象書類名】明細書
【補正対象項目名】００１５
【補正方法】変更
【補正の内容】
【００１５】
上記目的は、互いに交差するゲート線群とソース線群とを有し、各ゲート線と各ソース線間に設けられた画像素子をゲート信号に基づくタイミングでソース信号に応じて駆動することにより表示する表示装置において、前記ソース線群を駆動するために配置された複数のソースドライバであって、制御部からのソース信号を後段のソースドライバに供給する最前段ソースドライバと、前段のソースドライバからのソース信号に基づき動作する後段ソースドライバとを備える複数のソースドライバと、前記ソース信号が正常に供給されているか否かを示すソースモニタ信号を前記制御部に供給するソース信号異常検出部と、前記制御部からの代替制御信号に基づき前記後段ドライバに供給されるソース信号を代替する代替ソース信号を供給する代替ソース制御部と、を備え、前記制御部は、前記ソースモニタ信号によって前記後段ドライバにソース信号が正常に供給されていないと判断した場合、前記代替ソース制御部に代替ソース信号を供給させる代替制御信号を供給することを特徴とする表示装置によって実現できる。
従って、一部の部品が故障した場合であっても、表示機能が完全に失われるのを防止でき、表示機能を維持できる。
【手続補正１２】
【補正対象書類名】明細書
【補正対象項目名】００１６
【補正方法】変更
【補正の内容】
【００１６】
上記目的は、互いに交差するゲート線群とソース線群とを有し、各ゲート線と各ソース線間に設けられた画像素子をゲート信号に基づくタイミングでソース信号に応じて駆動することにより表示する表示装置において、前記ゲート線群を駆動するために配置された複数のゲートドライバであって、制御部からのゲート信号を制御するスタート信号を後段のゲートドライバに供給する最前段ゲートドライバと、前段のゲートドライバからのスタート信号を後段のゲートドライバに供給する少なくとも１つの後段ゲートドライバとを備える複数のゲートドライバと、前記スタート信号が正常に供給されているか否かを示すスタートモニタ信号を前記制御部に供給するスタート信号異常検出部と、前記制御部からの代替スタート制御信号に基づき前記後段ドライバに供給されるスタート信号を代替する代替スタート信号を供給する代替スタート制御部と、を備え、前記制御部は、前記スタートモニタ信号によって前記後段ドライバにスタート信号が正常に供給されていないと判断した場合、前記代替スタート制御部に代替スタート信号を供給させる代替制御信号を供給することを特徴とする表示装置によって実現できる。
従って、一部の部品が故障した場合であっても、表示機能が完全に失われるのを防止でき、表示機能を維持できる。
【手続補正１３】
【補正対象書類名】明細書
【補正対象項目名】００１７
【補正方法】変更
【補正の内容】
【００１７】
上記表示装置において、前記スタートモニタ信号を前記制御部に供給する線と前記代替スタート制御部に前記代替制御信号を供給する線は、双方向信号線を用いて共有されることを特徴とする。
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】